(57)【要約】      （修正有）【課題】美しくバストの形を整える為、脇の余分な肉を寄せ上げ美しいバストの形を作り、脇をすっきりとしたシルエットにすることのでき、フィット感に優れた成型パッドおよび成型パッドを取り付けたカップ部を有する女性用衣類を提供する。【解決手段】カップ部を構成する成型パッドで、ポリウレタンフォームを圧縮成形し、成型パッドの脇側の部分は、成型パッドの上辺における成型パッドの上辺と下辺の脇側の交点からパッド上辺の長さの１／２から１／３の点と、パッド下辺におけるパッド上辺と下辺の脇側の交点からバージス最下点までの長さの約１／３の点とを結んだ略直線とパッドの上辺および下辺とで囲まれた脇側の範囲であり、脇側の部分は、硬質ポリウレタンフォームを圧縮成形した圧縮シートをポリウレタンフォームにて挟んでさらに圧縮成形した３層構造である成型パッド、および前記成型パッドを取付けたカップ部を有する女性用衣類。【選択図】図１
2006299475.tif 000002
【特許請求の範囲】
【請求項１】
カップ部を構成する成型パッドであって、該成型パッドはポリウレタンフォームを圧縮成形してなり、該成型パッドの脇側の部分は、該成型パッドの上辺における該成型パッドの上辺と下辺の脇側の交点からパッド上辺の長さの１／２から１／３の点と、パッド下辺におけるパッド上辺と下辺の脇側の交点からバージスライン最下点までの長さの約１／３の点とを結んだ略直線と該パッドの上辺および下辺とで囲まれた脇側の範囲であり、該脇側の部分は、硬質ポリウレタンフォームを圧縮成形した圧縮シートをポリウレタンフォームにて挟んでさらに圧縮成形した３層構造であることを特徴とする成型パッド。  
【請求項２】
上辺部、脇部、トップ部、およびバスト下部の厚みの異なる４つの部位から構成されることを特徴とする請求項１に記載の成型パッド。
【請求項３】
前記上辺部の厚みが１〜７ｍｍ、前記脇部の厚みが４〜１０ｍｍ、前記トップ部の厚みが６〜７ｍｍ、および前記バスト下部の厚みが８〜１６ｍｍであり、各部位の厚みは連続的に変化することを特徴とする請求項１または２に記載の成型パッド。
【請求項４】
請求項１から３のいずれか１項に記載の成型パッドをカップ部に取り付けてなることを特徴とするカップ部を有する女性用衣類。
【発明の詳細な説明】
【技術分野】
【０００１】
本発明は、バストの形を整えて美しく見せるためにカップ部を有する衣類に用いられる成型パッド、およびそれを用いたカップ部を有する女性用衣類に関する。
【背景技術】
【０００２】
近年、特に夏季になると、薄地のアウターを着用することが多く、アウターの外観に響かないよう、ポリウレタンフォーム等を予め所望のバストの形状を現出するように成型して形成されるパッドをカップ部に取り付けた、あるいはパッドをカップ部そのものとしたカップ部を有する衣類が用いられることも多い。
【０００３】
近年の衣類の多様化によって、フォーマル時や夏季のアウターとして、肩部が露出するデザインの衣類や、胸元や背中の部分に大きな開口部を有する衣類を着用する機会が増えてきている。これらのアウター着用時には、ストラップの無いあるいはストラップをはずした状態でインナーとして着用することも多い。
【０００４】
このようなインナーを着用する時には、特にバストの形を整え美しく見せることが望まれる。そのために、バストを寄せ上げてバストの形を整え、胸の谷間を強調するようなパッドがインナーのカップ部に用いられている。
【発明の開示】
【発明が解決しようとする課題】
【０００５】
しかし、上記のようなパッドを用いたカップ部を有する衣類は、着用時に十分にフィットせずに、カップ部上部に浮きが生じたり、十分に脇の肉を押えて寄せ上げることができずに、バストの形を美しく保つことができない等の問題点があった。
【０００６】
本発明は、脇の余分な肉を寄せ上げて、より美しくバストの形を整え、脇をすっきりとしたシルエットにし、かつフィット性に優れた成型パッドおよびそれを用いたカップ部を有する女性用衣類を提供することを目的とする。
【課題を解決するための手段】
【０００７】
本発明の成型パッドは、カップ部を構成する成型パッドであって、該成型パッドはポリウレタンフォームを圧縮成形してなり、該成型パッドの脇側の部分は、該成型パッドの上辺における該成型パッドの上辺と下辺の脇側の交点からパッド上辺の長さの１／２から１／３の点と、パッド下辺におけるパッド上辺と下辺の脇側の交点からバージスライン最下点までの長さの約１／３の点とを結んだ略直線と該パッドの上辺および下辺とで囲まれた脇側の範囲であり、該脇側の部分は、硬質ポリウレタンフォームを圧縮成形した圧縮シートをポリウレタンフォームにて挟んでさらに圧縮成形した３層構造であることを特徴とする。
【０００８】
また、上辺部、脇部、トップ部、およびバスト下部の厚みの異なる４つの部位から構成されることが好ましい。
【０００９】
そして、前記上辺部の厚みが１〜７ｍｍ、前記脇部の厚みが４〜１０ｍｍ、前記トップ部の厚みが６〜７ｍｍ、および前記バスト下部の厚みが８〜１６ｍｍであり、各部位の厚みは連続的に変化することが好ましい。
【００１０】
本発明のカップ部を有する女性用衣類は、上述の成型パッドを取り付けてなることを特徴とする。
【発明の効果】
【００１１】
本発明の成型パッドは、カップ部を構成する成型パッドであって、該成型パッドはポリウレタンフォームを圧縮成形してなり、該成型パッドの脇側の部分は、該成型パッドの上辺における該成型パッドの上辺と下辺の脇側の交点からパッド上辺の長さの１／２から１／３の点と、パッド下辺におけるパッド上辺と下辺の脇側の交点からバージスライン最下点までの長さの約１／３の点とを結んだ略直線と該パッドの上辺および下辺とで囲まれた脇側の範囲であり、該脇側の部分は、硬質ポリウレタンフォームを圧縮成形した圧縮シートをポリウレタンフォームにて挟んでさらに圧縮成形した３層構造であることにより、バストの脇側を押える力を向上し乳房を寄せ上げることができ、バストラインを美しく整形し、脇のラインをすっきりとさせることが可能となり、アウターへに響きにくく、乳房への圧迫も少なくすることができる。
【００１２】
また、上辺部、脇部、トップ部、およびバスト下部の厚みの異なる４つの部位から構成されることにより、脇側を押える力をより向上し乳房を効果的に寄せ上げることができ、バストのボリュームをアップし、よりバストの形を美しく見せることができる。
【００１３】
そして、前記上辺部の厚みが１〜７ｍｍ、前記脇部の厚みが４〜１０ｍｍ、前記トップ部の厚みが６〜７ｍｍ、および前記バスト下部の厚みが８〜１６ｍｍであり、各部位の厚みは連続的に変化することにより、バストの大きさに合わせた成型パッドを使用することができ、バストのサイズに応じてボリュームアップすることができる。
【００１４】
本発明のカップ部を有する女性用衣類は、上述の成型パッドをカップ部に取り付けてなることにより、バストの脇側を押える力を向上し乳房を寄せ上げることができ、バストラインを美しく整形し、脇のラインをすっきりとさせ、さらに、バストを上へと持ち上げてボリュームをアップし、フィット性をも高めることが可能となる。
【発明を実施するための最良の形態】
【００１５】
以下に、図を用いて本発明の成型パッドおよびそれを用いたカップ部を有する女性用衣類について説明する。
【００１６】
初めに本願発明の成型パッド１の実施形態について説明する。図１に示しているのが、女性用衣類のカップ部を構成する成型パッド１であって、成型パッド１はポリウレタンフォームを圧縮成形したものであり、成型パッド１の脇側の部分は、硬質ポリウレタンフォーム９を圧縮成形した圧縮シートをポリウレタンフォームにて挟んでさらに圧縮成形した３層構造となっている。
【００１７】
前記硬質ポリウレタンフォーム９を用いる脇側の部分は、図１に斜線で示す範囲であり、成型パッド１の上辺２１（Ｄ点〜Ｆ点）の脇側のＤ点から上辺２１の長さＬ３の約１／２〜１／３（長さＬ４）のＧ点と、脇側から成型パッド１の下辺２２のバージスライン最下点Ｃまでの長さＬ１の約１／３（長さＬ２）のＥ点を結ぶ成型パッド１の表面上の略直線と上辺および下辺で囲まれた脇側の範囲であり、後述の脇部３の全部と後述の上辺部２の脇側の部分に該当する。
【００１８】
この範囲は、図３の断面図に示すように、表側ポリウレタンフォーム７と肌側ポリウレタンフォーム８の間に硬質ポリウレタンフォーム９が挟まれた３層構造となっている。これにより、この脇側の範囲を、他の部位よりも硬くすることができ、脇押えの効果を高くすることが可能となる。
【００１９】
この３層構造を含んだ成型パッド１の成型方法としては、次のような方法があげられる。まず最初に、所定の形状の厚さ７ｍｍの硬質ポリウレタンフォーム９を２ｍｍに圧縮成型する。そして、厚さ１０ｍｍの表側ポリウレタンフォーム７および同じく厚さ１０ｍｍの肌側ポリウレタンフォーム８を、厚さ２ｍｍに圧縮された硬質ポリウレタンフォーム９の両面に接着し、硬質ポリウレタンフォーム９を表側ポリウレタンフォーム７と肌側ポリウレタンフォーム８で挟み込む。
【００２０】
この時、図１の斜線以外の範囲は、図３に示す断面図の左側（斜線以外の部分）のように２層構造となっている。つまり、硬質ポリウレタンフォーム９を含まない範囲は、表側ポリウレタンフォーム７と肌側ポリウレタンフォーム８が直接接着された２層構造となっている。
【００２１】
このように、２層構造と３層構造の部分を有する状態で、所望の形状を現出可能な成型パッド１の型を用いて圧縮成型を行う。その結果、各部位の所定の厚みに成型される。硬質ポリウレタンフォーム９はその成型過程で、２回圧縮されることになる。
【００２２】
図２は本願発明の成型パッド１の右側用を着用時の肌側から見た図である。この図に示すように、本発明の成型パッド１は、４つの部位から構成される。前記４つの部位は、バストの上部に位置する上辺部２、脇側に位置する脇部３、バスト中央の位置に当たるトップ部４、およびバストの下側に位置するバスト下部５であることが好ましい。  
【００２３】
前記４つの部位は、独立して形成されているのではなく、一体成型されているが、厚み及び硬さが異なるように構成するので、４つの部位として区別している。
【００２４】
前記上辺部２は、成型パッド１の上辺２１から所定の幅を有するバストの上部の範囲とし、前記脇部３は、成型パッド１の上辺２１（Ｄ点〜Ｆ点）の脇側のＤ点から上辺２１の長さＬ３の約１／２〜１／３（長さＬ４）のＧ点と、脇側から成型パッド１の下辺２２のバージスライン最下点Ｃまでの長さＬ１の約１／３（長さＬ２）のＥ点を結ぶ略直線と上辺および下辺で囲まれた脇側の範囲で、かつ前記上辺部２に該当する部分を除いた範囲とする。
【００２５】
前記下辺部５は、成型パッド１の下辺に沿った下辺から所定の幅の湾曲した範囲とし、前記トップ部４は、前記上辺部２、前記脇部３および前記下辺部５に囲まれた、バスト中央の範囲とする。
【００２６】
前記４つの部位の各厚みは以下の範囲とすることが好ましい。上辺部の厚みは１〜７ｍｍ、脇部の厚みは４〜１０ｍｍ、トップ部の厚みは６〜７ｍｍ、バスト下部の厚みは８〜１６ｍｍとし、各部位の厚みは連続的に変化することが好ましい。
【００２７】
各部位の厚みは、使用する人のバストのサイズに応じて厚みを決定することが可能である。上辺部２および脇部３はバストのサイズによって変える必要はほとんど無いが、トップ部４、そして特にバストを持ち上げて美しく見せるのに重要な下辺部５は厚みを変えることにより、バストのサイズに応じてより効果的にバストを持ち上げることができる。
【００２８】
また、成型パッド１の下辺２２に沿って立ち上がり部６を一体成型することにより、成型パッド１の立体性の保持を確実にし、脇押え効果をより高めることができる。
【００２９】
このように本発明の成型パッド１は、脇側を硬質ポリウレタンフォームを含む３層構造とすることにより、脇押え効果を高くし、脇のシルエットをすっきりと見せることが可能となる。
【００３０】
また、各部位の厚みおよび硬さを変えることにより、バストラインを美しく見せ、特に下辺部５をソフトにそして厚みを厚くすることにより、バストを持ち上げてボリュームアップを図ることを可能とする。
【００３１】
上述の成形パッド１の一例として、以下にＢ７０サイズの成型パッド１について説明する。
【００３２】
Ｂ７０サイズの場合、前記硬質ポリウレタンフォーム９を用いる脇側の部分は、上辺２１における脇側から６０ｍｍのＧ点と、下辺２２における脇側から４５ｍｍのＥ点を結ぶ略直線と上辺と下辺で囲まれた脇側の範囲となる。３層構造の成型方法については、上述の成型方法にて行う。
【００３３】
４つの部位の厚みは、上辺部２の厚みが４ｍｍ、脇部３の厚みが７ｍｍ、トップ部４の厚みが７ｍｍ、バスト下部５の厚みが１５．５ｍｍとする。各部位の厚みは基本的に上記厚みとするが、隣り合う部位との間で連続的に変化しており、上辺部２の範囲は上辺２１から約１０ｍｍの範囲とする。
【００３４】
ここでは、Ｂ７０サイズの場合について例を示したが、このようにバストのサイズに合わせた適切な厚みおよび３層構造の範囲を決定することにより、より効果的にバストの脇側を押える力を向上し乳房を寄せ上げることができる。
【００３５】
次に、上述の成型パッド１を取り付けたカップ部２０を有する女性用衣類の実施形態について説明する。本実施形態の一例として、図５に示す成型パッド１を使用したブラジャー１０について説明する。
【００３６】
図５は着用時の肌側から見た、前記成型パッド１を使用したブラジャー１０を示しており、図６はブラジャー１０の斜視図である。成型パッド１は、表地および裏地に覆われ、ブラジャー１０のカップ部２０を構成している。
【００３７】
ブラジャー１０は、左右の前記パッド１からなるカップ部２０、左右のカップ部２０をつなぐ連結部１１、前記成形パッド１の脇側にとりつけられ背中で係止部材１３にて係止されるバック部１２、およびカップ部２０の上部から肩を通ってバック部１２に取付けられている取り外し可能なストラップ１４とから構成される。
【００３８】
前記成形パッドの下辺の立ち上がり部６に、ワイヤー１６が取付けられ、バストの保持力を高めている。ワイヤー１６は、クッション入りワイヤーループなどを使用して、ブラジャー着用時のワイヤーによる圧迫を軽減することができる。
【００３９】
本発明のカップ部を有する衣類は、ワイヤー１６を有しなくてもよいが、成型パッド１の下辺に立ち上がり部６を設け、さらにワイヤー１６を取付けることにより、カップ部２０の立体性の保持機能を高め、脇からの押さえ機能を高めることができる。
【００４０】
ストラップ１４は、装飾性が高く露出もできるトーションストレッチテープからなり、ストラップ取付け部１５により着脱可能となっている。本発明のカップ部を有する女性用衣類は、本発明の成型パッドを使用することにより、ストラップを有しなくても、ずれたりすることが無いようになっているので、服装等に合わせて、ストラップ１４の有無を選択できる。
【００４１】
本発明のカップ部を有する衣類は、脇を押える力が大きいので、カップ部２０が３／４カップタイプであっても、ストラップレスとすることが可能となる。
【００４２】
３／４カップタイプのカップ部２０を有し、かつストラップレスとすることで、連結部１１のカッティングが深くなり、胸元の大きく開いたアウターにも対応可能となる。
【００４３】
バック部１２は、伸縮性の素材を用いることによりフィット感を高め、締め付け感を軽減している。
【００４４】
本発明のカップ部を有する女性用衣類において、成型パッド１以外の素材、構成および製造法は、従来のカップ部を有する女性用衣類と同様に行うことができる。
【００４５】
カップ部を有する女性用衣類の実施形態として、具体的には、上記実施形態のようなブラジャーの他に、ブラスリップ、トップス、ブラキャミソール、ボディスーツ、カップ部付きテディ、水着等が挙げられる。本発明のカップ部を有する女性用衣類は、カップ部あるいは連結部の下側に、ウェスト近傍あるいは更にその下側まで延在する胴部を有していても良い。
【産業上の利用可能性】
【００４６】
本発明の成型パッドは、バストの脇部を押える力を向上させ、乳房を寄せ上げることができ、アウターに響きにくいので、薄地の衣類をアウターとして着用する際のインナー用として有用であり、特に３／４カップでストラップを有しない、あるいははずした状態でも美しいバストシルエットを保つことができるため、肩部が露出するデザインの衣類や、胸元や背中の部分に大きな開口部を有する衣類をアウターとして着用する際のインナー用として有用である。
【図面の簡単な説明】
【００４７】
【図１】本発明の成型パッドにおいて、３層構造部分を示す説明図である。
【図２】図１に示す成型パッドの構成を説明する、着用時の肌側方向から見た説明図である。
【図３】図１に示す成型パッドのＢ−Ｂラインでの断面図である。
【図４】図１に示す成型パッドのＡ−Ａラインでの断面図である。
【図５】本発明のカップ部を有する女性用衣類の実施形態の一例であるブラジャーを着用時の肌側方向から見た背面図である。
【図６】図５に示すブラジャーの外観斜視図である。
【符号の説明】
【００４８】
１    成型パッド
２    上辺部
３    脇部
４    トップ部
５    バスト下部
６    立ち上がり部
７    表側ポリウレタンフォーム
８    肌側ポリウレタンフォーム
９    硬質ポリウレタンフォーム
１０  ブラジャー
１１  連結部
１２  バック部
１３  係止部材
１４  ストラップ
１５  ストラップ取付け部
１６  ワイヤー
２０  カップ部
２１  上辺
２２  下辺
【図１】
2006299475.tif 000003
【図２】
2006299475.tif 000004
【図３】
2006299475.tif 000005
【図４】
2006299475.tif 000006
【図５】
2006299475.tif 000007
【図６】
2006299475.tif 000008